(57)【要約】【課題】受信機側でコンテンツ配信サーバとのクロックの同期をとることかできるように、PCRを残して多視点映像から所望の映像を分離する。【解決手段】多視点映像分離装置１０であって、多視点映像の中で分離対象の映像が含まれるパケットの第１のパケット識別子と、クロック情報が含まれるパケットの第２のパケット識別子とを取得する取得手段１４と、多視点映像の処理対象パケットの処理対象パケット識別子と、第１のパケット識別子および第２のパケット識別子とを比較する比較手段１４と、処理対象パケット識別子が第１のパケット識別子と一致し、第２のパケット識別子とは一致しない場合、前記処理対象パケットを分離するとともに、処理対象パケット識別子が第１のパケット識別子および第２のパケット識別子と一致する場合、分離対象の映像を前記処理対象パケットから分離する分離手段１４と、を有する。【選択図】図１
2013239803.tif 000002
【特許請求の範囲】
【請求項１】
多視点映像から所望の視点の映像を分離する多視点映像分離方法であって、
前記多視点映像の中で分離対象の映像が含まれるパケットの第１のパケット識別子と、クロック情報が含まれるパケットの第２のパケット識別子とを取得する取得ステップと、
前記多視点映像の各パケットを読み込み、読み込んだ処理対象パケットの処理対象パケット識別子と、第１のパケット識別子および第２のパケット識別子とを比較する比較ステップと、
処理対象パケット識別子が第１のパケット識別子と一致し、第２のパケット識別子とは一致しない場合、前記処理対象パケットを分離する第１の分離ステップと、
処理対象パケット識別子が第１のパケット識別子および第２のパケット識別子と一致する場合であって、前記処理対象パケットに前記クロック情報および前記分離対象の映像が存在する場合、前記分離対象の映像を前記処理対象パケットから分離する第２の分離ステップと、を行うこと
を特徴とする多視点映像分離方法。
【請求項２】
請求項１記載の多視点映像分離方法であって、
処理対象パケット識別子が第１のパケット識別子と一致しないパケット、および、第２の分離ステップで分離されずに残ったパケットとを用いて、分離対象の映像が削除された配信用映像を生成する生成ステップを、さらに行うこと
を特徴とする多視点映像分離方法。
【請求項３】
請求項１または２記載の多視点映像分離方法であって、
前記第２の分離ステップは、処理対象パケット識別子が第１のパケット識別子および第２のパケット識別子と一致する場合であって、前記処理対象パケットに前記クロック情報が存在しない場合、前記処理対象パケットを分離すること
を特徴とする多視点映像分離方法。
【請求項４】
請求項１から３のいずれか１項に記載の多視点映像分離方法であって、
前記多視点映像の中で分離対象の映像または配信対象の映像を指定した配信要求を受信する受信ステップと、
前記生成ステップで生成された配信用映像を、前記配信要求を送信した受信端末に配信する配信ステップと、をさらに行うこと
を特徴とする多視点映像分離方法。
【請求項５】
多視点映像から所望の視点の映像を分離する多視点映像分離装置であって、
前記多視点映像の中で分離対象の映像が含まれるパケットの第１のパケット識別子と、クロック情報が含まれるパケットの第２のパケット識別子とを取得する取得手段と、
前記多視点映像の各パケットを読み込み、読み込んだ処理対象パケットの処理対象パケット識別子と、第１のパケット識別子および第２のパケット識別子とを比較する比較手段と、
処理対象パケット識別子が第１のパケット識別子と一致し、第２のパケット識別子とは一致しない場合、前記処理対象パケットを分離するとともに、処理対象パケット識別子が第１のパケット識別子および第２のパケット識別子と一致する場合であって、前記処理対象パケットに前記クロック情報および前記分離対象の映像が存在する場合、前記分離対象の映像を前記処理対象パケットから分離する分離手段と、を有すること
を特徴とする多視点映像分離装置。
【請求項６】
請求項５記載の多視点映像分離装置であって、
前記分離手段により分離されずに残ったパケットを用いて、分離対象の映像が削除された配信用映像を生成する生成手段を、さらに有すること
を特徴とする多視点映像分離装置。
【請求項７】
請求項５または６記載の多視点映像分離装置であって、
前記分離手段は、処理対象パケット識別子が第１のパケット識別子および第２のパケット識別子と一致する場合であって、前記処理対象パケットに前記クロック情報が存在しない場合、前記処理対象パケットを分離すること
を特徴とする多視点映像分離装置。
【請求項８】
請求項５から請求項７のいずれか１項に記載の多視点映像分離方法を、コンピュータに実行させるための多視点映像分離プログラム。
【発明の詳細な説明】
【技術分野】
【０００１】
本発明は、多視点映像から所望の視点の映像を分離する多視点映像分離方法、多視点映像分離装置、および多視点映像分離プログラムに関する。
【背景技術】
【０００２】
近年、映像の視聴において、放送波（以降、「RF」と略）によって伝送された、いわゆる地デジ放送だけでなく、IP網によって伝送される映像配信サービス（以降、「IPTV」と略）が広く普及してきている。IPTVの伝送方法には、主にMPEG2-TS方式（非特許文献１参照）が採用されており、セクションデータや映像データの取り扱いが規定されている。
【０００３】
また、IPTVの映像圧縮方式には、これまで一視点の映像のみを圧縮できるH.264 AVCが採用されてきたが、映像圧縮技術の進歩により、複数視点の映像を圧縮できるH.264  MVCという圧縮方式（非特許文献２参照）が確立されてきている。
【先行技術文献】
【非特許文献】
【０００４】
【非特許文献１】MPEG2-TSの概要、［online］、インターネット＜  URL: http://www.mpeg.co.jp/libraries/video_it/video_03.html＞
【非特許文献２】「知っておきたいキーワード、多視点映像符号化」、映像情報メディア学会誌Vol.62、No.3、pp.343〜345、2008年
【発明の概要】
【発明が解決しようとする課題】
【０００５】
従来使用されている映像圧縮方式であるH.264  AVCに対して、H.264  MVCには多視点という概念が導入されている。一方で、配信されるコンテンツ（ここでは映像・音声・字幕といった映像の視聴に必要なものを含むファイルの総称を指す）の容量は、H.264 AVCに比べ、H.264MVCでは視点数だけ増大する。この前提を基にすると、以下のようなサービスが想定される。
【０００６】
(1)複数の視点から撮影された映像ES（Elementary Stream）及び音声・字幕ESが、一つのTS（Transport Stream）ファイルとして配信サーバに配置される。
【０００７】
(2)視聴者は、視聴したい視点の映像を選択し、配信サーバに要求する。
【０００８】
(3)配信サーバは、使用するNW帯域の削減を目的に視聴者からの要求に応じて必要な視点映像のみを多重し、配信する。
【０００９】
配信サーバに配置されているTSファイルには、すでに配信サーバと受信機のクロックを同期させるための情報であるPCR（Program Clock Reference）が埋め込まれた状態であることが想定されるが、(3)のようにソースファイルから必要な視点映像のみ抜き出し多重化してしまうと、抜き出されなかった映像パケットの中にPCRが含まれている場合、必要なPCRが欠如し不連続なクロックが生じてしまう。
【００１０】
これにより、受信機は配信サーバとのクロックの同期をとることが出来ず、映像の再生を滑らかに行うことが出来なくなり、視聴者に対して不快な映像を提供することになってしまう。
【００１１】
本発明は、上記事情に鑑みてなされたものであり、本発明の目的は、多視点映像から所望の映像を分離する際に、受信機側で配信サーバとのクロックの同期をとることかできるように、PCRを残して所望の映像を分離する多視点映像分離方法、多視点映像分離装置、および多視点映像分離プログラムを提供することにある。
【課題を解決するための手段】
【００１２】
上記目的を達成するため、本発明は、多視点映像から所望の視点の映像を分離する多視点映像分離方法であって、前記多視点映像の中で分離対象の映像が含まれるパケットの第１のパケット識別子と、クロック情報が含まれるパケットの第２のパケット識別子とを取得する取得ステップと、前記多視点映像の各パケットを読み込み、読み込んだ処理対象パケットの処理対象パケット識別子と、第１のパケット識別子および第２のパケット識別子とを比較する比較ステップと、処理対象パケット識別子が第１のパケット識別子と一致し、第２のパケット識別子とは一致しない場合、前記処理対象パケットを分離する第１の分離ステップと、処理対象パケット識別子が第１のパケット識別子および第２のパケット識別子と一致する場合であって、前記処理対象パケットに前記クロック情報および前記分離対象の映像が存在する場合、前記分離対象の映像を前記処理対象パケットから分離する第２の分離ステップと、を行う。
【００１３】
本発明は、多視点映像から所望の視点の映像を分離する多視点映像分離装置であって、前記多視点映像の中で分離対象の映像が含まれるパケットの第１のパケット識別子と、クロック情報が含まれるパケットの第２のパケット識別子とを取得する取得手段と、前記多視点映像の各パケットを読み込み、読み込んだ処理対象パケットの処理対象パケット識別子と、第１のパケット識別子および第２のパケット識別子とを比較する比較手段と、処理対象パケット識別子が第１のパケット識別子と一致し、第２のパケット識別子とは一致しない場合、前記処理対象パケットを分離するとともに、処理対象パケット識別子が第１のパケット識別子および第２のパケット識別子と一致する場合であって、前記処理対象パケットに前記クロック情報および前記分離対象の映像が存在する場合、前記分離対象の映像を前記処理対象パケットから分離する分離手段と、を有する。
【００１４】
本発明は、前記多視点映像分離方法を、コンピュータに実行させるための多視点映像分離プログラムである。
【発明の効果】
【００１５】
本発明によれば、多視点映像から所望の映像を分離する際に、受信機側で配信サーバとのクロックの同期をとることかできるように、PCRを残して所望の映像を分離する多視点映像分離方法、多視点映像分離装置、および多視点映像分離プログラムを提供することができる。
【図面の簡単な説明】
【００１６】
【図１】本発明の実施形態に係る多視点映像配信システムの全体構成を示す図である。
【図２】多視点映像コンテンツの構成要素と再多重を説明するための説明図である。
【図３】ＴＳパケットのパターンと構成を示す図である。
【図４】分離多重部の動作を示すフローチャートである。
【発明を実施するための形態】
【００１７】
以下、本発明の実施の形態について、図面を参照して説明する。
【００１８】
図１は、本実施形態の多視点映像配信システムの全体構成を示す構成図である。図示する通信システムは、コンテンツ配信サーバ１０と、当該コンテンツ配信サーバ１０とネットワーク２０（例えば、ＩＰネットワークなど）を介して接続可能な受信端末３０と、を備える。なお、図１では、１つの受信端末３０を示しているが、受信端末３０は複数であってもよい。
【００１９】
コンテンツ配信サーバ１０（多視点映像分離装置）は、多視点映像のコンテンツを配信するサーバであって、多視点映像コンテンツ記憶部１１と、配信管理部１２と、コンテンツ取得部１３と、分離再多重部１４と、コンテンツ配信部１５と、作業バッファメモリ１６と、配信制御部１７と、通信部１８とを備える。
【００２０】
多視点映像コンテンツ記憶部１１は、例えばサーバディスクなどの記憶装置であって、当該コンテンツ配信サーバ１０に配置される少なくとも１つの多視点映像コンテンツが記憶される。配信管理部１２は、コンテンツ取得部１３、分離再多重部１４、コンテンツ配信部１５および配信制御部１７を制御および管理する。コンテンツ取得部１３は、受信端末３０の要求に応じて、配信管理部１２が管理している多視点映像コンテンツを多視点映像コンテンツ記憶部１１から読み出し、作業バッファメモリ１６に書き込む。
【００２１】
分離再多重部１４（取得手段、比較手段、分離手段、生成手段）は、コンテンツ取得部１３が読み出した多視点映像コンテンツから受信端末３０の視聴者にとって不要な映像を分離し、再多重して配信コンテンツを生成し、作業バッファメモリ１６に出力する。なお、本実施形態の配信コンテンツは、TTS形式とする。
【００２２】
コンテンツ配信部１５は、分離再多重部１４により出力された配信コンテンツ（TTSファイル）をIPパケットに変換し、通信部１８およびネットワーク２０を介して受信端末３０に配信するする。作業バッファメモリ１６は、コンテンツ取得部１３、分離再多重部１４およびコンテンツ配信部１５の各部がファイルのやり取りを行う作業メモリ領域である。配信制御部１７は、受信端末３０からのコンテンツ配信要求を配信管理部１２に出力する。通信部１８は、ネットワークを介した受信端末３０との通信処理を行う。
【００２３】
受信端末３０は、コンテンツ配信サーバ１から配信された配信コンテンツを受信し、表示する装置である。
【００２４】
上記説明した、コンテンツ配信サーバ１０および受信端末３０は、例えば、ＣＰＵと、メモリと、ＨＤＤ等の外部記憶装置と、入力装置と、出力装置とを備えた汎用的なコンピュータシステムを用いることができる。このコンピュータシステムにおいて、ＣＰＵがメモリ上にロードされた所定のプログラムを実行することにより、各装置の各機能が実現される。例えば、コンテンツ配信サーバ１０および受信端末３０の各機能は、コンテンツ配信サーバ１０用のプログラムの場合はコンテンツ配信サーバ１０のＣＰＵが、そして、受信端末３０用のプログラムの場合は受信端末３０のＣＰＵがそれぞれ実行することにより実現される。また、コンテンツ配信サーバ１０用のプログラムおよび受信端末３０用のプログラムは、ハードディスク、フレキシブルディスク、ＣＤ−ＲＯＭ、ＭＯ、ＤＶＤ−ＲＯＭなどのコンピュータ読取り可能な記録媒体に記憶することも、ネットワークを介して配信することもできる。
【００２５】
図２は、多視点映像コンテンツと、再多重イメージを説明するための説明図である。図２には、コンテンツ配信サーバ１０の多視点映像コンテンツ記憶部１１に格納された多視点映像コンテンツ４０の構成要素４１〜４４と、受信端末３０の視聴者（ユーザ）の操作によって所望の視点の映像のみが選択され、再多重された映像コンテンツである配信コンテンツ５０の構成要素５１〜５３とを示している。
【００２６】
ここで、多視点映像コンテンツ４０の多視点映像４３、４４については、最も視点数の少ない２視点としているが、多視点映像コンテンツ４０の視点数は２に限定されるものでなく、２視点以上の視点数とすることができる。
【００２７】
多視点映像コンテンツ４０は、コンテンツ配信サーバ１０に配置される映像ソースであって、複数の視点から撮影された映像ES（Elementary Stream）を含むTS（Transport Stream）ファイルである。図示する多視点映像コンテンツ４０は、字幕ES４１と、音声ES４２と、第１の視点での映像ES４３と、第２の視点での映像ES４４と、を含む。
【００２８】
受信端末３０の視聴者の要求により、コンテンツ配信サーバ１０の分離再多重部１４が、所定の映像ESのみを分離し、多視点映像コンテンツの残りの構成要素を再多重し、配信コンテンツを生成する。図示する例では、視聴者は第１の視点の映像ES４３のみを必要とし、不要な第２の視点での映像ES４４は、分離（破棄・削除）するものとする。
【００２９】
配信コンテンツ５０は、分離再多重部１４により分離・再多重されたコンテンツであって、視聴者が指定した第１の視点の映像ES５３のみが再多重されたTSファイルである。この配信コンテンツ５０（TSファイル）が、受信端末３０に配信される。配信コンテンツ５０は、字幕ES５１と、音声ES５２と、ユーザにより要求された第１の視点の映像ES５３とを含む。なお、字幕ES５１、音声ES５２および第１の視点の映像ES５３は、多視点映像コンテンツ４０の字幕ES４１、音声ES４２および第１の視点の映像ES５３と、それぞれ同じものである。
【００３０】
図３は、TSパケットのパターンと構成を説明するための説明図である。
【００３１】
ここでは、コンテンツ配信サーバ１０と受信端末３０のクロックを同期させるためのクロック情報であるPCR（Program Clock Reference）を欠如させないためのシーケンスを記載する前に、そもそもPCRはTSパケットのどこに配置されているかについて触れる。
【００３２】
TSパケットは、TSファイルの伝送パケットである。TSパケットの構成要素としては、大きく、TSヘッダと、拡張部分のアダプテーションフィールドと、映像ES、字幕ES、音声ES等が含まれるペイロードとの３つに分けられ、それぞれの組合せによって図３に示す通りＡ〜Ｃの３パターンのTSパケットが考えられる。
【００３３】
ここで、PID（Packet ID、パケットの種別を識別する識別子）は、TSヘッダに含まれる。PCRは、アダプテーションフィールドに含まれる。
【００３４】
パターンＡは、TSヘッダと、ペイロード（PESの一部）とで構成されるTSパケットである。PES（Packetized Elementary Stream）は、映像ES等をパケット化したものである。
【００３５】
パターンＢは、TSヘッダと、アダプテーションフィールドと、ペイロードとで構成されるTSパケットである。
【００３６】
パターンＣは、TSヘッダと、アダプテーションフィールドとで構成されるTSパケットである。
【００３７】
次に、本実施形態の動作について説明する。
【００３８】
まず、受信端末３０は、視聴者の指示を受け付けて、多視点映像コンテンツの配信要求をコンテンツ配信サーバ１０に送信する。この配信要求には、所望の多視点映像コンテンツの識別情報（コンテンツIDなど）と、所望の視点の映像（配信対象の映像）の識別情報または不要な視点の映像（分離対象の映像）の識別情報が指定されている。
【００３９】
コンテンツ配信サーバ１０の配信制御部１７は、受信端末３０から受信した配信要求を配信管理部１２に送出する。配信管理部１２は、配信要求で指定されたコンテンツ識別情報の多視点映像コンテンツを多視点映像コンテンツ記憶部１１から読み出すようコンテンツ取得部１３を制御する。コンテンツ取得部１３は、指示された多視点映像コンテンツを多視点映像コンテンツ記憶部１１から読み出し、作業バッファメモリ１６に記憶する。そして、配信管理部１２は、多視点映像コンテンツを分離再多重するよう分離再多重部１４に指示する。その際に、配信管理部１２は、配信要求に基づいて、分離対象の映像ESを分離再多重部１４に指示する。分離再多重部１４は、コンテンツ取得部１３により作業バッファメモリ１６に記憶された多視点映像コンテンツを、図４で後述するように分離・再多重して、配信コンテンツを生成し、作業バッファメモリ１６に記憶する。配信管理部１２は、コンテンツ配信部１５および通信部１８を制御して、配信コンテンツを受信端末３０に送信する。
【００４０】
図４は、本実施形態の分離再多重部１４の動作を説明するためのフローチャートである。各ステップでの具体的な処理内容については、後述の通りだが、大きな流れとしては、以下の通りである。
【００４１】
１．受信端末３０からの配信要求により、分離対象の映像ESのPID（以降「PIDfilter」と略）と、PCRのPID（以降、「PIDPCR」と略）とを取得する。
【００４２】
２．PIDfilterとPIDPCRとが同じ場合、分離対象PID（＝PIDfilter＝PIDPCR）のTSパケットのアダプテーションフィールド、ペイロードの有無を確認する。（フィルタが必要なTSパケットかどうかを判定する。）
３．フィルタが必要なTSパケットであった場合は、映像ESであるペイロードのみnullデータに置換し、分離する。
【００４３】
４．置換したNullデータを削除しTTSを生成する。
【００４４】
以下、図４を参照し、分離再多重部１４の動作を詳細に説明する。
【００４５】
Ｓ001において、分離再多重部１４は、配信管理部１２から、分離・再多重指示（配信ファイルの生成指示）を受け付ける。この指示には、対象となる多視点映像コンテンツと、当該多視点映像コンテンツのどの視点の映像ESを分離するのかについての指示が含まれている。
【００４６】
Ｓ002において、分離再多重部１４は、TSパケットのPIDを解析するためのPIDのindex情報であるPMT（Program Map Table）を取得済みか否かを判定する。
【００４７】
PMTが取得できていなかった場合（Ｓ002：NO）、Ｓ003において、分離再多重部１４は、PMTを多視点映像コンテンツの中から取得し、解析する。
【００４８】
Ｓ004において、分離再多重部１４は、PMTを参照して、Ｓ001で指定された分離対象映像ESのPID（PIDfilter）を取得する。
【００４９】
Ｓ005において、分離再多重部１４は、PMTを参照して、PCRのPIDPCRを取得する。なお、PCRは、配信サーバ（送信機）と受信端末３０（受信機）の時刻同期を行う際の基準とるクロック情報であって、所定の間隔（例えば、100ms間隔）でTSパケットに埋め込まれている。そして、Ｓ002に戻る。
【００５０】
Ｓ003からＳ005を行うことによりPMT、PIDfilterおよびPIDPCRを取得した場合（Ｓ002：YES）、Ｓ006において、分離再多重部１４は、分離対象映像ESの変更有無を判定する。分離対象映像ESの変更は、受信端末３０からの要求を受け付けて、配信管理部１２が分離再多重部１４に指示するものである。例えば、今まで第１の視点の映像のみを要求していた受信端末３０（視聴者）が、途中で第２の視点の映像のみを要求する場合などがある。変更がある場合は、Ｓ004のステップに戻り、以降の処理を行う。
【００５１】
Ｓ007において、分離再多重部１４は、Ｓ001で配信管理部１２に指示された多視点映像コンテンツの各TSパケットを、作業バッファメモリ１６から読み出し、読み出した処理対象のTSパケットを解析し、PIDを取得する。
【００５２】
Ｓ008において、Ｓ007で取得した当該TSパケットのPIDが、PMTのPIDであるか否かを判定する。
【００５３】
当該TSパケットのPIDがPMTのPIDである場合（Ｓ008：YES）、Ｓ009において、分離再多重部１４は、作業バッファメモリ１６に格納した作業用テーブルを更新し、Ｓ016に進む。
【００５４】
当該TSパケットのPIDがPMTのPIDでない場合（Ｓ008：NO）、Ｓ010において、分離再多重部１４は、Ｓ007で取得した当該TSパケットのPIDとPIDfilterとを比較し、当該TSパケットのPIDがＳ004で取得したPIDfilterに一致するか否かを判別する。当該TSパケットのPIDがPIDfilterと一致しない場合（Ｓ010：NO）、Ｓ016に進む。
【００５５】
当該TSパケットのPIDがPIDfilterと一致する場合（Ｓ010：YES）、Ｓ011において、分離再多重部１４は、当該TSパケットのPIDとPIDPCRとを比較し、当該TSパケットのPIDがＳ005で取得したPIDPCR と一致するか否かを判別する。
【００５６】
当該TSパケットのPIDがPIDPCRと一致しない場合は（Ｓ011：NO）、すなわち、当該TSパケットは、分離対象映像ESのTSパケットであって、PCRが含まれていないTSパケットである。具体的には、図３のパターンＡのTSパケットであって、ペイロードには分離対象の映像ESのPESが格納されているものである。この場合、Ｓ013において、分離再多重部１４は、当該TSパケットの全てをnull化するなどして、分離する。
【００５７】
当該TSパケットのPIDがPIDPCRと一致する場合（Ｓ011：YES）、Ｓ012において、分離再多重部１４は、当該TSパケットにアダプテーションフィールド（PCR）が含まれるか否かを判定する。当該TSパケットにアダプテーションフィールド（PCR）が含まれていない場合は（Ｓ012：NO）、Ｓ013に進み、分離再多重部１４は、当該TSパケットの全てをnull化するなどして、分離する。この場合、当該TSパケットは、図３のパターンＡのTSパケットであって、ペイロードには分離対象の映像ESのPESが格納されているものである。なお、Ｓ012は、PIDfilterとPIDPCRに同じPIDが設定されている場合を考慮したものである。
【００５８】
当該TSパケットにアダプテーションフィールド（PCR）が含まれる場合（Ｓ012：YES）、Ｓ014において、分離再多重部１４は、当該TSパケットにペイロードが存在するか否かを判定する。当該TSパケットにペイロードが含まれていない場合（Ｓ014：NO）、具体的には、図３のパターンＣのTSパケットの場合、null化などの分離処理を行わずに、Ｓ016に進む。
【００５９】
当該TSパケットにペイロードが含まれている場合（Ｓ014：YES）、具体的には、図３のパターンＢのTSパケットの場合、Ｓ015において、分離再多重部１４は、ペイロードの部分をnull化するなどして分離し、TSヘッダおよびアダプテーションフィールドの部分はそのまま残す。
【００６０】
Ｓ016において、分離再多重部１４は、作業バッファメモリ１６の多視点映像コンテンツに未処理のTSパケットが存在するか否かを判定し、未処理のTSパケットが存在する場合は（Ｓ016：YES）、Ｓ002の処理に戻り、以降の処理を繰り返し行う。
【００６１】
未処理のTSパケットが存在しない場合（Ｓ016：NO）、すなわち、全てのTSパケットを処理した場合、Ｓ017において、分離再多重部１４は、Ｓ013およびＳ015でnull化するなどして分離されずに残ったTSパケットを用いて配信コンテンツを生成する。すなわち、PIDがPIDfilterと一致しないTSパケット（Ｓ010：NO）と、ペイロードが含まれていないTSパケット（Ｓ014：NO）と、ペイロードの部分を分離し、TSヘッダおよびアダプテーションフィールドの部分はそのまま残したTSパケット（Ｓ015）とを用いて、分離対象の映像ESが分離された配信コンテンツを生成する。
【００６２】
本実施形態では、Ｓ017において、分離再多重部１４は、処理済のTSパケットを作業バッファメモリ１６から読み込み、TSパケットの先頭4バイトにタイムスタンプ情報を付加して合計192バイトのパケットにしたTTS（Timestamped TS）パケット化し、配信コンテンツを生成する。分離再多重部１４は、TSSパケット化する際に、Ｓ013でnullに置換したTSパケットを削除するとともに、Ｓ015でnullに置換した部分を削除したTTSパケットを用いる。
【００６３】
そして、Ｓ018において、分離再多重部１４は分離再多重処理を終了する。
【００６４】
以上説明した、本実施形態では、多視点映像から所望の映像を分離する際に、受信端末３０側でコンテンツ配信サーバ１０とのクロックの同期をとることかできるように、PCRを残して映像を分離する。これにより本実施形態では、多視点映像の配信時に受信端末３０に影響を与えることなく、受信端末３０側で正しくデコードし動作することを可能とし、視聴者により豊かな映像配信サービスを提供することが可能となる。
【００６５】
すなわち、１つの映像ソース（多視点映像コンテンツ）を基に、視聴者のニーズに沿った映像をリアルタイムで分離・再多重するために必要なクロック情報（時刻情報）を保持することで、受信端末３０に影響を与えることなく、再多重されたコンテンツの配信を可能とすることができる。
【００６６】
これにより、本実施形態では、特定の映像ESに対してフィルタを行っても受信端末３０にショックを与えずにデコードを行うことが出来るコンテンツを分離再多重することが可能になる。また、H.264 MVCによる多視点映像を柔軟に視聴者の意図に沿って配信することが可能になり、かつ、ワンソースマルチユースによるコンテンツ管理によってサーバディスクリソースの低減/管理リソースの低減/配信時のNW帯域削減が可能になる。
【００６７】
なお、本発明は上記実施形態に限定されるものではなく、その要旨の範囲内で数々の変形が可能である。
【符号の説明】
【００６８】
１  ：コンテンツ配信サーバ
１１：多視点映像コンテンツ記憶部
１２：配信管理部
１３：コンテンツ取得部
１４：分離再多重部
１５：コンテンツ配信部
１６：作業バッファメモリ
１７：配信制御部
１８：通信部
２０：ネットワーク
３０：受信端末
【図１】
2013239803.tif 000003
【図２】
2013239803.tif 000004
【図３】
2013239803.tif 000005
【図４】
2013239803.tif 000006